【手続補正書】
【提出日】平成23年3月2日(2011.3.2)
【手続補正１】
【補正対象書類名】特許請求の範囲
【補正対象項目名】全文
【補正方法】変更
【補正の内容】
【特許請求の範囲】
【請求項１】
風車翼のピッチ角を制御するピッチ角制御手段と、
前記風車翼の回転を停止させるブレーキ手段と、
前記風車翼の位置を検出する位置検出手段と、を備え、
前記風車翼の回転停止を指示する停止信号を受信したときに、前記ピッチ角制御手段によりピッチ角をフェザー側に制御して前記風車翼の回転速度を定格回転数の１％以上５％以下まで減速させ、減速させた状態で、前記位置検出手段により前記風車翼が所望の位置の手前に設定されている目標位置に到達したことが検出された場合に、前記ブレーキ手段を駆動させることを特徴とする風力発電装置。
【請求項２】
風車翼のピッチ角を制御するピッチ角制御手段と、
前記風車翼と一体に回転するディスクに設けられた磁石と、
前記風車翼が所望の位置に停止するときに、該磁石と対向する位置に設けられた電磁石と、を備え、
前記風車翼の回転停止を指示する停止信号を受信したときに、前記ピッチ角制御手段によりピッチ角をフェザー側に制御して前記風車翼の回転速度を定格回転数の１％以上５％以下まで減速させ、減速させた状態で、前記電磁石を励磁させることにより該電磁石に前記磁石を引き寄せて前記風車翼の回転を停止させること特徴とする風力発電装置。
【請求項３】
風車翼のピッチ角を制御するピッチ角制御手段と、前記風車翼の回転を停止させるブレーキ手段と、前記風車翼の位置を検出する位置検出手段とを備えた風力発電装置の制御方法であって、
前記風車翼の回転停止を指示する停止信号を受信したときに、前記ピッチ角制御手段によりピッチ角をフェザー側に制御して前記風車翼の回転速度を定格回転数の１％以上５％以下まで減速させるステップと、
前記減速させた状態で、前記位置検出手段により前記風車翼が所望の位置の手前に設定されている目標位置に到達したことが検出された場合に、前記ブレーキ手段を駆動させるステップと、
を備えたことを特徴とする風力発電装置の制御方法。
【請求項４】
風車翼のピッチ角を制御するピッチ角制御手段と、前記風車翼と一体に回転するディスクに設けられた磁石と、前記風車翼が所望の位置に停止するときに、該磁石と対向する位置に設けられた電磁石とを備えた風力発電装置の制御方法であって、
前記風車翼の回転停止を指示する停止信号を受信したときに、前記ピッチ角制御手段によりピッチ角をフェザー側に制御して前記風車翼の回転速度を定格回転数の１％以上５％以下まで減速させるステップと、
前記減速させた状態で、前記電磁石を励磁させることにより該電磁石に前記磁石を引き寄せて前記風車翼の回転を停止させるステップとを備えたこと特徴とする風力発電装置の制御方法。
【手続補正２】
【補正対象書類名】明細書
【補正対象項目名】０００９
【補正方法】変更
【補正の内容】
【０００９】
本発明によれば、風力発電装置が発電状態にあるなど風車翼の回転中に、風車翼の回転を停止させるための停止信号を受信した場合、ピッチ角制御手段により、風車翼のピッチ角をフェザー側に制御することでその回転速度を所定の速度まで減速させる。ここで、所定の速度とは、定格回転数（例えば１５ｒｐｍ程度）の５％以下、好ましくは１％以上５％以下の範囲等、ブレーキ手段の応答速度等も考慮し、風車翼の停止位置を所望の精度範囲内で定めることが可能であり、かつ風車翼が停止しない程度の極低速であることが好ましい。そして、定格回転数の１％以上５％以下まで減速された状態で、位置検出手段により、風車翼が所望の位置の手前に設定されている目標位置に到達したことが検出された場合に、ブレーキ手段を駆動させる。ここで、目標位置は、ブレーキ手段を駆動してから風車翼を停止させるまでの時間的なずれを考慮し、風車翼を停止させたい位置である所望の位置よりも手前に設定されているので、位置検出手段が目標位置を検出した後にブレーキ手段を駆動させることで、風車翼が所望の位置で停止する。
【手続補正３】
【補正対象書類名】明細書
【補正対象項目名】００１０
【補正方法】変更
【補正の内容】
【００１０】
このように、風車翼の回転速度を定格回転数の１％以上５％以下に維持した状態から停止させるので、急激に停止させることによる風力発電装置への影響を抑制できる。また、風車翼の回転は所定の回転速度に維持されているため、風車翼の位置を検出してから風車翼を停止するまでの間の風車翼の移動量が極めて少なく、停止位置を高精度に保つことができる。このように、風車翼を所望の位置で容易に停止させることができるため、例えば、メンテナンスの際の作業効率が向上する。
【手続補正４】
【補正対象書類名】明細書
【補正対象項目名】００１２
【補正方法】変更
【補正の内容】
【００１２】
また、風車翼を所定の回転速度で回転させるように前記風車翼のピッチ角を制御するピッチ角制御手段と、前記風車翼と一体に回転するディスクに設けられた磁石と、前記風車翼が所望の位置に停止するときに、該磁石と対向する位置に設けられた電磁石と、を備え、前記風車翼の回転停止を指示する停止信号を受信したときに、前記ピッチ角制御手段によりピッチ角をフェザー側に制御して前記風車翼の回転速度を定格回転数の１％以上５％以下まで減速させ、減速させた状態で、前記電磁石を励磁させることにより該電磁石に前記磁石を引き寄せて前記風車翼の回転を停止させること特徴とする風力発電装置を提供する。
【手続補正５】
【補正対象書類名】明細書
【補正対象項目名】００１３
【補正方法】変更
【補正の内容】
【００１３】
本発明によれば、風力発電装置が発電状態にあるなど風車翼の回転中に、風車翼の回転を停止させるための停止信号を受信した場合、ピッチ角制御手段により、風車翼のピッチ角をフェザー側に制御することでその回転速度を定格回転数の１％以上５％以下まで減速させる。そして、風車翼と一体に回転するディスクに設けられた磁石と、風車翼が所望の位置に停止するときに対峙する位置に設けられた電磁石を励磁する。このため、電磁石に磁石が引き寄せてられ、磁石が電磁石に固定される。磁石は風車翼と一体に回転するディスクに設けられているため、磁石が電磁石に固定されることによって、ディスクの回転が停止し、この結果、風車翼の回転も停止する。
【手続補正６】
【補正対象書類名】明細書
【補正対象項目名】００１４
【補正方法】変更
【補正の内容】
【００１４】
このように、風車翼の回転速度を定格回転数の１％以上５％以下に維持した状態から停止させるので、急激に停止させることによる風力発電装置への影響を抑制できる。また、あらかじめ電磁石が風車翼が所望の位置、すなわち、風車翼を停止させたい位置に停止するときに、ディスクに設けられた磁石と対向する位置に設けられているため、風車翼の位置検出等を行わなくても、電磁石を励磁するだけで、容易に風車翼を所望の位置に停止させることができるため、例えば、メンテナンスの際の作業効率が向上する。なお、磁石及び電磁石は、何れか一方が所望の位置、すなわち、風車翼を停止させたい位置と対応する位置に固定して設ける必要があるが、何れを固定させるかは適宜設計変更可能である。すなわち、電磁石の位置が定まっている場合には、ディスクの風車翼が所望の位置に停止したときに電磁石と対峙する位置に設ける。この場合にも、ディスクは風車翼と一体に回転するので、磁石が電磁石に固定されることによって、ディスクの回転が所望の位置で停止し、この結果、風車翼の回転も所望の位置で停止する。
【手続補正７】
【補正対象書類名】明細書
【補正対象項目名】００１６
【補正方法】削除
【補正の内容】
【手続補正８】
【補正対象書類名】明細書
【補正対象項目名】００１７
【補正方法】削除
【補正の内容】
【手続補正９】
【補正対象書類名】明細書
【補正対象項目名】００１８
【補正方法】削除
【補正の内容】
【手続補正１０】
【補正対象書類名】明細書
【補正対象項目名】００２１
【補正方法】削除
【補正の内容】